(57)【要約】【課題】本発明は、テレビ番組切替システム及びその方法を提供する。【解決手段】本発明のテレビ番組切替システムは、表示ユニットを有するテレビ受像機及びリモートコントロール装置を備え、リモートコントロール装置は、ユーザー情報を採集し且つユーザー情報を含む無線信号をテレビ受像機に送信する第一ユーザー情報採集ユニットを備え、テレビ受像機は、複数のユーザー情報及び各々のユーザー情報に対応する１つ又は複数の好みのテレビ番組を記録する第一関係リストを予め格納するデータベースと、第一ユーザー情報採集ユニットからの無線信号に基づいてユーザー情報を確定するユーザー情報処理ユニットと、確定したユーザー情報及び第一関係リストに基いてユーザー情報に対応する好みのテレビ番組を確定し、表示ユニットを制御して確定した好みのテレビ番組を表示する制御ユニットと、を備える。本発明はテレビ番組切替方法も提供する。【選択図】図１
2014110634.tif 000002
【特許請求の範囲】
【請求項１】
表示ユニットを有するテレビ受像機及びユーザーの操作によってリモートコントロール信号を送信して前記テレビ受像機を制御して対応する機能を実行するリモートコントロール装置を備えるテレビ番組切替システムであって、
前記リモートコントロール装置は、その外部に設置されてユーザー情報を採集し且つ前記ユーザー情報を含む無線信号を前記テレビ受像機に送信する第一ユーザー情報採集ユニットを備え、
前記テレビ受像機は、
複数のユーザー情報及び各々のユーザー情報に対応する１つ又は複数の好みのテレビ番組を記録する第一関係リストを予め格納するデータベースと、
前記第一ユーザー情報採集ユニットから送信する無線信号に基づいてユーザー情報を確定するユーザー情報処理ユニットと、
前記ユーザー情報処理ユニットによって確定したユーザー情報及び前記データベースに格納した第一関係リストに基いて前記ユーザー情報に対応する好みのテレビ番組を確定し、前記表示ユニットを制御して確定した好みのテレビ番組を表示する制御ユニットと、
を備えることを特徴とするテレビ番組切替システム。
【請求項２】
前記第一ユーザー情報採集ユニットは、指紋採集モジュールを備えることを特徴とする請求項１に記載のテレビ番組切替システム。
【請求項３】
前記リモートコントロール装置は、その外部に設置される第二ユーザー情報採集ユニットをさらに備え、前記第二ユーザー情報採集ユニットは、ユーザーの画像情報を採集することによりユーザー情報を獲得する画像採集モジュール及びユーザーの音声を採集することによりユーザー情報を獲得する音声採集モジュールを備えることを特徴とする請求項１または２に記載のテレビ番組切替システム。
【請求項４】
前記テレビ受像機は、その外部に設置される第二ユーザー情報採集ユニットをさらに備え、前記第二ユーザー情報採集ユニットは、ユーザーの画像情報を採集することによりユーザー情報を獲得する画像採集モジュール及びユーザーの音声を採集することによりユーザー情報を獲得する音声採集モジュールを備えることを特徴とする請求項１〜３のいずれか１項に記載のテレビ番組切替システム。
【請求項５】
前記ユーザー情報処理ユニットは、さらに前記第二ユーザー情報採集ユニットが獲得したユーザー情報に基づいてユーザー情報を確定し、前記制御ユニットは、前記ユーザー情報処理ユニットによって確定したユーザー情報及び前記データベースに格納された第一関係リストに基いて前記ユーザー情報に対応する好みのテレビ番組を確定し、前記表示ユニットを制御して確定した好みのテレビ番組を表示することを特徴とする請求項４に記載のテレビ番組切替システム。
【請求項６】
前記制御ユニットは、確定した前記ユーザー情報を有するユーザーが前記リモートコントロール装置によって選択して放送するテレビ番組を前記データベースの第一関係リストに格納して前記ユーザー情報と対応させることを特徴とする請求項１〜５のいずれか１項に記載のテレビ番組切替システム。
【請求項７】
前記第一関係リストは、ユーザーが前記リモートコントロール装置によって予め設定することを特徴とする請求項１〜６のいずれか１項に記載のテレビ番組切替システム。
【請求項８】
前記データベースはさらに第二関係リストを格納し、前記第二関係リストは複数のユーザー情報及び各々のユーザー情報に対応する放送禁止テレビ番組を記録し、前記ユーザー情報処理ユニットによってユーザー情報を確定した場合、前記制御ユニットは確定したユーザー情報及び第二関係リストに基いて放送禁止テレビ番組を確定し、前記ユーザー情報を有するユーザーは前記リモートコントロール装置によってテレビ番組を選択する場合、確定した前記放送禁止テレビ番組は選択することができないことを特徴とする請求項１〜７のいずれか１項に記載のテレビ番組切替システム。
【請求項９】
ユーザー情報を採集するステップと、
前記ユーザー情報を処理してユーザー情報を確定するステップと、
確定した前記ユーザー情報及び第一関係リストに基いて前記ユーザー情報に対応する好みのテレビ番組を確定し、前記第一関係リストは、複数のユーザー情報及び各々のユーザー情報に対応する１つ又は複数の好みのテレビ番組を記録するステップと、
確定した好みのテレビ番組を表示するステップと、
を備えることを特徴とするテレビ番組切替方法。
【請求項１０】
確定したユーザー情報及び第二関係リストに基いて放送禁止テレビ番組を確定し、前記第二関係リストは複数のユーザー情報及び各々のユーザー情報に対応する放送禁止テレビ番組を記録するステップと、
前記ユーザー情報を有するユーザーはテレビ番組を選択する場合、確定した前記放送禁止テレビ番組は遮蔽されて選択することができないステップと、
をさらに備えることを特徴とする請求項９に記載のテレビ番組切替方法。
【発明の詳細な説明】
【技術分野】
【０００１】
本発明は、テレビ番組切替システム及びその方法に関するものである。
【背景技術】
【０００２】
現在のテレビジョンは、イメージ又はビデオを表示するだけではなく、コンピューティング機能及びゲーム機能も発揮するので、ユーザーとテレビジョンとの間のコミュニケーション頻度は増加している。ユーザーがリモートコントロール装置によってテレビ番組を選択する場合、リモートコントロール装置のテレビチャンネル番号に対応するボタンを操作する又は上下移動ボタンを何回か操作してテレビチャンネル番号を指定する。現在のテレビ番組切替方式は、家庭の構成員を識別してそれぞれの好みによってテレビ番組を放送することができない。
【発明の概要】
【発明が解決しようとする課題】
【０００３】
本発明の目的は、上記問題を解決することであり、異なるユーザーの好みに基いて対応するテレビ番組を放送することができるテレビ番組切替システム及びその方法を提供することである。
【課題を解決するための手段】
【０００４】
本発明に係るテレビ番組切替システムは、表示ユニットを有するテレビ受像機及びユーザーの操作によってリモートコントロール信号を送信してテレビ受像機を制御して対応する機能を実行するリモートコントロール装置を備えるテレビ番組切替システムであって、リモートコントロール装置は、その外部に設置されてユーザー情報を採集し且つユーザー情報を含む無線信号をテレビ受像機に送信する第一ユーザー情報採集ユニットを備え、テレビ受像機は、複数のユーザー情報及び各々のユーザー情報に対応する１つ又は複数の好みのテレビ番組を記録する第一関係リストを予め格納するデータベースと、第一ユーザー情報採集ユニットから送信する無線信号に基づいてユーザー情報を確定するユーザー情報処理ユニットと、ユーザー情報処理ユニットによって確定したユーザー情報及びデータベースに格納した第一関係リストに基いてユーザー情報に対応する好みのテレビ番組を確定し、表示ユニットを制御して確定した好みのテレビ番組を表示する制御ユニットと、を備える。
【０００５】
本発明に係るテレビ番組切替方法は、ユーザー情報を採集するステップと、ユーザー情報を処理してユーザー情報を確定するステップと、確定したユーザー情報及び第一関係リストに基いてユーザー情報に対応する好みのテレビ番組を確定し、第一関係リストは、複数のユーザー情報及び各々のユーザー情報に対応する１つ又は複数の好みのテレビ番組を記録するステップと、確定した好みのテレビ番組を表示するステップと、を備える。
【発明の効果】
【０００６】
本発明において、テレビ番組切替システム及びその方法は、テレビ受像機及び/又はリモートコントロール装置に設置されるユーザー情報採集ユニットによってユーザー情報を採集して送信し、テレビ受像機は異なるユーザー情報に基いて対応する好みのテレビ番組を放送することにより、従来の技術におけるテレビ番組を選択する場合にリモートコントロール装置のテレビチャンネル番号に対応するボタンを操作する又は上下移動ボタンを何回か操作してテレビチャンネル番号を指定する不便を解決する。
【図面の簡単な説明】
【０００７】
【図１】本発明の第一実施形態に係るテレビ番組切替システムの機能ブロック図である。
【図２】本発明の第二実施形態に係るテレビ番組切替システムの機能ブロック図である。
【図３】本発明の実施形態に係るテレビ番組切替方法のフローチャートである。
【発明を実施するための形態】
【０００８】
以下、図面を参照して、本発明の実施形態について説明する。
【０００９】
図１を参照すると、本発明の第一実施形態に係るテレビ番組切替システム１０は、テレビ受像機２０及びリモートコントロール装置３０を備える。リモートコントロール装置３０は、赤外線リモコン信号のようなリモートコントロール信号をテレビ受像機２０に送信することにより、テレビ受像機２０を制御して、テレビ番組を切り替えるか、又はテレビ受像機２０をスタートオンするか、又はテレビ受像機２０をスタートオフする。
【００１０】
テレビ受像機２０は、データベース２２、ユーザー情報処理ユニット２３、制御ユニット２４及び表示ユニット２５を備える。データベース２２は第一関係リストを予め格納するために用いられ、第一関係リストは、複数のユーザー情報及び各々のユーザー情報に対応する１つ又は複数の好みのテレビ番組を記録する。ユーザー情報は、ユーザーの指紋情報、画像情報及び音声情報の中の少なくとも１つを備える。本実施形態において、リモートコントロール装置３０はその外部に設置される第一ユーザー情報採集ユニット３１を備え、テレビ受像機２０はその外部に設置される第二ユーザー情報採集ユニット２１を備える。第一ユーザー情報採集ユニット３１は、リモートコントロール装置３０の外表面に設置される指紋採集モジュール３１０を備え、ユーザーが指紋採集モジュール３１０をタッチする時に対応する指紋を採集することによりユーザー情報を獲得し、且つリモートコントロール装置３０によって指紋情報を含む無線信号をテレビ受像機２０に送信する。第二ユーザー情報採集ユニット２１は、テレビ受像機２０の外部に設置される画像採集モジュール２１０及び音声採集モジュール２１１を備え、画像採集モジュール２１０はユーザーの画像情報を採集することによりユーザー情報を獲得し、音声採集モジュール２１１はユーザーの音声を採集することによりユーザー情報を獲得し、画像採集モジュール２１０はカメラであり、音声採集モジュール２１１はマイクロホンである。
【００１１】
ユーザー情報処理ユニット２３は、第二ユーザー情報採集ユニット２１が獲得したユーザー情報又はリモートコントロール装置３０から送信する無線信号を受信してから、第二ユーザー情報採集ユニット２１が獲得したユーザー情報又はリモートコントロール装置３０から送信する無線信号の中のユーザー情報を確定する。制御ユニット２４は、ユーザー情報処理ユニット２３によって確定したユーザー情報及びデータベース２２に格納した第一関係リストに基いてユーザー情報に対応する好みのテレビ番組を確定し、表示ユニット２５を制御して確定した好みのテレビ番組を表示する。確定したユーザー情報に対応する好みのテレビ番組が複数である場合、制御ユニット２４は表示ユニット２５を制御して複数の好みのテレビ番組を含むリストを表示し、ユーザーはリモートコントロール装置３０によってリモートコントロール信号を送信してテレビ番組を選択する。
【００１２】
本実施形態において、ユーザー情報処理ユニット２３は、所定時間内（例えば、５秒以内である）に第二ユーザー情報採集ユニット２１が獲得したユーザー情報及び/又はリモートコントロール装置３０から送信するユーザー情報を含む無線信号を受信する場合、先ず受信したユーザー情報を選択して処理する。
【００１３】
図２を参照すると、本発明の第二実施形態に係るテレビ番組切替システムにおいて、第一ユーザー情報採集ユニット３１及び第二ユーザー情報採集ユニット２１は全てリモートコントロール装置３０に設置される。リモートコントロール装置３０は、さらにスイッチ（図示せず）を設置して別々に画像採集モジュール２１０、音声採集モジュール２１１及び指紋採集モジュール３１０に対応させて、ユーザーの触発操作によって対応する採集モジュールをスタートオンして対応するユーザー情報を採集する。例えば、単に画像採集モジュール２１０をスタートオンしてユーザー情報を採集するか、又は画像採集モジュール２１０及び音声採集モジュール２１１を同時にスタートオンしてユーザー情報を採集する。ユーザー情報を採集してから、リモートコントロール装置３０は採集したユーザー情報をテレビ受像機２０に送信して、テレビ受像機２０は受信したユーザー情報に基いて対応する好みのテレビ番組を確定し且つ対応するテレビ番組を放送する。
【００１４】
テレビ受像機２０がユーザー情報に基いて対応するテレビ番組を放送する場合、ユーザー情報を有するユーザーは、リモートコントロール装置３０によって第一関係リストに記録したユーザー情報に対応する好みのテレビ番組以外の他のテレビ番組を選択して放送する時、制御ユニット２４は放送されるテレビ番組をデータベース２２の第一関係リストに格納してユーザー情報と対応させて、ユーザーがテレビ番組を選択する操作に基いてデータベース２２の中の第一関係リストを更新する。他の実施形態において、ユーザーはリモートコントロール装置３０によって第一関係リストを予め設定することができる。
【００１５】
本発明の第一実施形態及び第二実施形態に係るテレビ番組切替システムにおいて、データベース２２はさらに第二関係リストを格納し、第二関係リストは複数のユーザー情報及び各々のユーザー情報に対応する放送禁止テレビ番組を記録する。ユーザー情報処理ユニット２３によってユーザー情報を確定した場合、制御ユニット２４は確定したユーザー情報及び第二関係リストに基いて放送禁止テレビ番組を確定する。ユーザー情報を有するユーザーはリモートコントロール装置３０によってテレビ番組を選択する場合、確定した放送禁止テレビ番組は選択することができない。
【００１６】
図３を参照すると、本発明のテレビ番組切替方法は以下のステップを備える。
【００１７】
ステップＳ４０：第一ユーザー情報採集ユニット３１及び/又は第二ユーザー情報採集ユニット２１によってユーザー情報を採集する。
【００１８】
ユーザー情報は、ユーザーの指紋情報、画像情報及び音声情報を備える。
【００１９】
第一実施形態において、第二ユーザー情報採集ユニット２１は、テレビ受像機２０の外部に設置される画像採集モジュール２１０及び音声採集モジュール２１１を備え、画像採集モジュール２１０はユーザーの画像情報を採集することによりユーザー情報を獲得し、音声採集モジュール２１１はユーザーの音声を採集することによりユーザー情報を獲得する。第一ユーザー情報採集ユニット３１は、リモートコントロール装置３０の外表面に設置される指紋採集モジュール３１０を備え、ユーザーが指紋採集モジュール３１０をタッチする時に対応する指紋を採集することによりユーザー情報を獲得し、且つリモートコントロール装置３０によって指紋情報を含む無線信号をテレビ受像機２０に送信する。
【００２０】
本実施形態において、画像採集モジュール２１０はカメラであり、音声採集モジュール２１１はマイクロホンである。
【００２１】
ステップＳ４１：ユーザー情報処理ユニット２３は、第二ユーザー情報採集ユニット２１が獲得したユーザー情報又はリモートコントロール装置３０から送信するユーザー情報を処理して、ユーザー情報を確定する。
【００２２】
ステップＳ４２：制御ユニット２４は、ユーザー情報処理ユニット２３によって確定したユーザー情報及びデータベース２２に格納した第一関係リストに基いてユーザー情報に対応する好みのテレビ番組を確定する。
【００２３】
第一関係リストは、データベース２２に格納され、複数のユーザー情報及び各々のユーザー情報に対応する１つ又は複数の好みのテレビ番組を記録する。
【００２４】
ステップＳ４３：制御ユニット２４は、表示ユニット２５を制御して確定した好みのテレビ番組を表示する。
【００２５】
確定したユーザー情報に対応する好みのテレビ番組が複数である場合、制御ユニット２４は表示ユニット２５を制御して複数の好みのテレビ番組を含むリストを表示し、ユーザーはリモートコントロール装置３０によってリモートコントロール信号を送信してテレビ番組を選択する。  
【００２６】
ステップＳ４４：制御ユニット２４は、ユーザー情報処理ユニット２３によって確定したユーザー情報及び第二関係リストに基いて放送禁止テレビ番組を確定する。
【００２７】
第二関係リストは、データベース２２に格納されて複数のユーザー情報及び各々のユーザー情報に対応する放送禁止テレビ番組を記録する。
【００２８】
ステップＳ４５：制御ユニット２４は確定した放送禁止テレビ番組を遮断して、ユーザー情報を有するユーザーはリモートコントロール装置３０によってテレビ番組を選択する場合、確定した放送禁止テレビ番組は選択することができず、対応するリモートコントロール信号をテレビ受像機２０に送信して、テレビ受像機２０はリモートコントロール信号に基づいて対応するテレビ番組を放送する。
【００２９】
本実施形態において、制御ユニット２４はユーザーが選択して放送するテレビ番組をデータベース２２の第一関係リストに格納してユーザー情報と対応させて、ユーザーがテレビ番組を選択する操作に基いてデータベース２２の中の第一関係リストを更新する。他の実施形態において、ユーザーはリモートコントロール装置３０によって第一関係リストを予め設定することができる。
【００３０】
本発明のテレビ番組切替システム及びその方法において、テレビ受像機及び/又はリモートコントロール装置に設置されるユーザー情報採集ユニットによってユーザー情報を採集して送信し、テレビ受像機は異なるユーザー情報に基いて対応する好みのテレビ番組を放送することにより、従来の技術におけるテレビ番組を選択する場合にリモートコントロール装置のテレビチャンネル番号に対応するボタンを操作する又は上下移動ボタンを何回か操作してテレビチャンネル番号を指定する不便を解決する。
【符号の説明】
【００３１】
１０  テレビ番組切替システム
２０  テレビ受像機
２１  第一ユーザー情報採集ユニット
２２  データベース
２３  ユーザー情報処理ユニット
２４  制御ユニット
２５  表示ユニット
３０  リモートコントロール装置
３１  第一ユーザー情報採集ユニット
２１０  画像採集モジュール
２１１  音声採集モジュール
３１０  指紋採集モジュール
【図１】
2014110634.tif 000003
【図２】
2014110634.tif 000004
【図３】
2014110634.tif 000005